(57)【特許請求の範囲】
【請求項１】
布地に色の維持及び／又は再生の利益をもたらす方法であって、
ａ．布地を洗浄する工程と、
ｂ．組成物総重量に基づいて、５％〜２０％のカチオン性ポリマーを含む酸性ｐＨを有する布地ケア添加剤組成物を、洗濯機中の水の存在下で、アニオン性界面活性剤源としての従来の洗剤と組み合わせて、２：１〜０．１：１のＡＣＤ：ＣＣＤ比率を有する混合物を形成する工程であって、前記布地ケア添加剤組成物がカチオン性界面活性剤をさらに含み、前記カチオン性ポリマーが２〜１１のｐＨで０．０５ｍｅｑ／ｇ〜２５ｍｅｑ／ｇの電荷密度を有し、前記カチオン性ポリマーがアルキルアミンエピクロロヒドリンポリマー、ジアリルジメチル塩化アンモニウムのホモポリマー、ジアリルジメチル塩化アンモニウムのコポリマー、及びそれらの組み合わせからなる群から選択されるポリマーである工程と、
ｃ．前記混合物を前記布地と接触させて処理された布地を形成する工程と、
ｄ．前記処理された布地をすすぐ工程と、
ｅ．前記処理された布地に、乾燥、プレス、糊付け、香り付け、及びそれらの組み合わせからなる群から選択される１つ以上の仕上げ処理を適用する工程と、
ｆ．任意に、工程（ｂ）及び（ｃ）を工程（ｄ）の前に少なくとも２回実施する工程と、を含み、
前記方法が消費者へのサービスとして行われる、方法。
【請求項２】
前記色の維持及び／又は再生の利益が、−０．０１〜−１５のΔＬ値を含む、請求項１に記載の方法。
【請求項３】
前記接触させる工程が、５０℃〜７５℃の温度で実施される、請求項１または２に記載の方法。
【請求項４】
前記アニオン性界面活性剤源が、アニオン性界面活性剤源の総重量に基づき、２％〜５０％のアニオン性界面活性剤を含む、請求項１〜３のいずれか一項に記載の方法。
【請求項５】
前記アニオン性界面活性剤が、アルキルエトキシスルホン酸塩を含む、請求項４に記載の方法。
【請求項６】
前記アニオン性界面活性剤源が、アニオン性界面活性剤源の総重量に基づき、５％未満の直鎖アルキルベンゼンスルホン酸塩を含む、請求項１〜５のいずれか一項に記載の方法。
【請求項７】
前記アニオン性界面活性剤源が、アニオン性界面活性剤源の総重量に基づき、１０％未満の非イオン性界面活性剤を含む、請求項１〜６のいずれか一項に記載の方法。
【発明の詳細な説明】
【技術分野】
【０００１】
布地に利益を提供するための組成物及び方法を開示する。
【背景技術】
【０００２】
布地の種類によって、染色された衣類は通常の着用及び洗濯条件によって退色及び色落ちしやすく、衣類の非着用及び／又は消費者の不満をもたらす。濃い色は特に退色又は色落ちを起こしやすい。退色又は摩耗した布地に対して色を回復させる１つの手段は、染料の使用によるものである。染料組成物を使用して着色、退色、又は摩耗した布地を回復し得るが、かかる組成物は、一般に複雑な工程を必要とし、使用するのが面倒である。染め直しはまた、布地との色の適合を必要とし、多くの場合において困難である可能性がある。それ故に、染料を必要とせずに色の回復を提供することが望ましい。
【発明の概要】
【発明が解決しようとする課題】
【０００３】
カチオン性ポリマーは、それらの正電荷により、より高い濃度では、一般的にアニオン性界面活性剤と上手く製剤されない。かかるポリマーは、アニオン性界面活性剤と相互作用する傾向があり、したがって、注入不可能な位相分離混合物を形成する傾向がある。かかる混合物は、一般的に消費者の使用に不適合である。
【０００４】
そのため、より高いレベルのカチオン性ポリマーを含む、洗濯プロセスにおいて布地に利益をもたらすことが可能な組成物の使用及び製剤は、製剤及び安定性の懸念によって制限される傾向がある。それ故に、カチオン性ポリマーが布地に送達され、上述の製剤問題を回避しながら色ケアの利益等の利益を付与することができる、組成物及び／又は方法に対する必要性が依然として存在する。
【課題を解決するための手段】
【０００５】
布地に利益をもたらすための組成物及び方法を開示する。
【発明を実施するための形態】
【０００６】
Ａ．定義
本明細書で使用するとき、請求項で使用されるときの冠詞「ａ」及び「ａｎ」は、請求又は記載されていることの１つ以上を意味すると理解される。
【０００７】
本明細書で使用するとき、「添加物」という用語は、洗濯プロセスのいずれかの工程中に洗剤（の前、その後、又はそれと同時を含む）と個別に使用して、布地に利益を付与し得る組成物又は材料を意味する。
【０００８】
本明細書で使用するとき、「使用当たりのアニオン電荷密度（ＡＣＤ）」という用語は、分散される組成物の単一用量の容量に存在する負電荷量を意味する。例として、３９０ｇ／ｍｏｌの分子量を有する２２．２％の界面活性剤を含む、７８ｇの洗剤の用量を仮定すると、ＡＣＤは、以下の通り計算される：７８ｇ×０．２２２＝１７．３ｇ／容量のアニオン性界面活性剤、アニオン性界面活性剤＝１７．３×１／３９０×１０００のＡＣＤ＝容量当たり４４．３ｍｅｑのアニオン電荷ではモル当たり１の負電荷又は１の等価電荷。
【０００９】
本明細書で使用するとき、衣類に適用される「黒」という用語は、Ｌ値が０〜約１８の範囲、又は約１６未満である、Ｈｕｎｔｅｒ  Ｌによって測定される色として定義される。布地製造者は、Ｐａｎｔｏｎｅ  Ｍａｔｃｈｉｎｇ  Ｓｙｓｔｅｍを含む、他の技術を使用して「黒」を評価する。Ｐａｎｔｏｎｅ  Ｍａｔｃｈｉｎｇ  Ｓｙｓｔｅｍは、ｗｗｗ．ｐａｎｔｏｎｅ．ｃｏｍのＰａｎｔｏｎｅ社からアクセスすることができる、確立されたカラーパレットである。黒色規格パレット番号１９−４００５ｔｃの例は、Ｇｉｌｄａｎ  ｆａｂｒｉｃ  ｃｏｍｐａｎｙ、６００  ｄｅ  Ｍａｉｓｏｎｎｅｕｖｅ  Ｗｅｓｔ，３３ｒｄ  Ｆｌｏｏｒ，Ｍｏｎｔｒｅａｌ（Ｑｕｅｂｅｃ），Ｈ３Ａ  ３Ｊ２  Ｃａｎａｄａによって製造かつ販売される黒色Ｔシャツの黒色として使用されるものである。この色はまた、ＣＭＹＫ色モデルの１００−３５−０−１００と一致し、ＣＭＹＫは、シアンのＣ、マゼンタのＭ、黄色のＹ、及び黒のカギのＫと定義される。ＣＭＹＫ  ＩＳＯ標準は、ＩＳＯ  １２６４０−１：１９９７であり、ｗｗｗ．ｉｓｏ．ｏｒｇでアクセスすることができる。
【００１０】
本明細書で使用するとき、「カチオン性ポリマー」という用語は、正味カチオン電荷を有するポリマーを意味する。
【００１１】
本明細書で使用するとき、「コアセルベート」という用語は、水性環境のカチオン性ポリマー及びアニオン性界面活性剤の会合から形成された粒子を意味する。「コアセルベート」という用語は、「一次粒子」「コロイド粒子」、及び「骨材粒子」の用語と交互に使用され得る。
【００１２】
本明細書で使用するとき、「コロイド粒子」という用語は、一次粒子の凝集を意味する。
【００１３】
本明細書で使用するとき、「含む（comprising）」という用語は、本開示の組成物の調製において共に使用される種々の成分を意味する。それ故に、「本質的に〜から成る」及び「〜から成る」という用語は、「含む」という用語に含まれる。
【００１４】
本明細書で使用するとき、「従来の洗剤」は、アニオン性界面活性剤等の洗浄剤を含む組成物を意味する。
【００１５】
本明細書で使用するとき、「電荷密度」は、ポリマー自体の電荷密度を指し、モノマー原料とは異なり得る。電荷密度は、繰り返し単位当たりの正味電荷数を、繰り返し単位の分子量で除することにより計算され得る。正電荷は、ポリマーの主鎖上及び／又はポリマーの側鎖上に配置してもよい。アミンモノマーを用いたポリマーでは、電荷密度はキャリアのｐＨに依存する。これらのポリマーでは、電荷密度はｐＨ７で測定される。ＡＣＤは、アニオン電荷密度を指し、ＣＣＤはカチオン電荷密度を指す。
【００１６】
本明細書で使用するとき、「使用当たりのカチオン電荷密度（ＣＣＤ）」という用語は、分散される組成物の単一用量の容量に存在する正電荷量を意味する。例として、１５０，０００ダルドンの分子量及び１６１．６７ｇ／ｍｏｌのモノマー分子量を有する、４％のカチオン性ポリマーを含む、７８ｇの洗剤用量を仮定すると、ＣＣＤは以下の通り計算される：ポリマー電荷密度は、１／１６１．６７×１０００又は６．１９ｍｅｑ／ｇ、及び用量当たりＣＣＤ  ７８ｇ×０．０４×６．１９又は１９．３ｍｅｑである。
【００１７】
本明細書で使用するとき、「カチオン性ポリマー」という用語は、正味カチオン電荷を有するポリマーを意味する。
【００１８】
本明細書で使用するとき、布地に適用される「乾燥」という用語は、約１４％の残留水分を有することを意味する。
【００１９】
本明細書で定義するとき、「ある成分を本質的に含まない」は、その成分が組成物中にいかなる量も意図的に組み込まれていないことを意味する。
【００２０】
本明細書で使用するとき、「組成物」は、手洗い、機械洗浄、及び／又は他の目的のための布地ケア組成物と、布地ケア添加剤組成物と、布地の浸漬及び／又は前処理に使用するために好適な組成物とを含む。それらは、例えば、洗濯洗剤、柔軟剤、及び／又は他の洗浄、すすぎ、乾燥機仕上げの製品、並びにスプレーの形態を取り得る。液体形態の組成物は、一般的に、水性キャリアである。他の態様においては、組成物は、粒状洗剤又は乾燥機仕上げの柔軟剤シートの形態であり得る。特に指示がない限り、用語は、粒状又は粉末形態の汎用又は「重質」洗浄剤、特に掃除用洗剤と、液体、ジェル状、又はペースト形態の汎用洗浄剤と、液体のきめの細かい布地用洗剤と、漂白添加剤及び「ステインスティック」又は前処理タイプ、基質を含んだ製品、ドライ及びウエット拭き取り布及びパット、不織布基質、並びにスポンジ等の掃除用助剤と、スプレー及びミストを含む。いくつかの態様においては、組成物は、低含水量、例えば、５０％未満、３０％未満、１５％未満、又は１０％未満の水又は他のキャリアを有するコンパクトな製剤であり得る。
【００２１】
本明細書で使用するとき、「高い電荷密度」は、約１ｍｅｑ／ｇを上回る電荷密度を意味する。「低い電荷密度」は、約１ｍｅｑ／ｇ未満の電荷密度を意味する。
【００２２】
本明細書で使用するとき、「高分子量」という句は、約１，０００，０００ｋＤを上回る分子量を意味する。「低分子量」という句は、約１，０００〜約５００，０００ｋＤの分子量を意味する。
【００２３】
本明細書で使用するとき、「Ｌ＊Ｃ＊ｈ色空間」及び「Ｌ＊ａ＊ｂ＊色空間」は、Ｈｕｎｔｅｒ  Ａｓｓｏｃｉａｔｅｓ  Ｌａｂｏｒａｔｏｒｙにより開発され、色又は染色された物品の色における変化を測定するのに、Ｃｏｍｍｉｓｓｉｏｎ  Ｉｎｔｅｒｎａｔｉｏｎａｌｅ  ｄ’Ｅｃｌａｉｒａｇｅ（「ＣＩＥ」）により推奨されている三次元比色モデルである。ＣＩＥ  Ｌ＊ａ＊ｂ＊色空間（「ＣＩＥＬＡＢ」）は、３組の軸を持つスケールを有し、Ｌ軸は色空間の明度（黒についてはＬ＊＝０、白についてはＬ＊＝１００）を表し、ａ＊軸は赤〜緑の色空間（赤についてはａ＊＞０、緑についてはａ＊＜０）を表し、ｂ＊軸は黄〜青の色空間（黄についてはｂ＊＞０、青についてはｂ＊＜０）を表す。Ｌ＊Ｃ＊ｈ色空間は、極性色空間についてほぼ均一なスケールである。ＣＩＥ  Ｌ＊Ｃ＊ｈ色空間（「ＣＩＥＬＣｈ」）スケール値は、機器で測定され、また、ＣＩＥＬＡＢスケール値から計算され得る。本明細書で使用するとき、ＤＥ＊ＣＭＣ値は、最初のＬ＊Ｃ＊ｈ値と最終的なＬ＊Ｃ＊ｈ値との間のＬ＊Ｃ＊ｈ空間の距離に関連するベクトルを包含する。本明細書で使用するとき、ＤＥ＊値は、最初のＬ＊ａ＊ｂ値と最終的なＬ＊ａ＊ｂ値との間のＬ＊ａ＊ｂ＊空間の距離に関連するベクトルを包含する。Ｌ＊明度値は、ＣＩＥＬＣｈ及びＣＩＥＬＡＢ色スケールで同一である。Ｃ＊値（彩度値）及びｈ値（色相角）は、ＣＩＥＬＡＢスケールのａ＊及びｂ＊値から計算され得る。全ての色は、Ｌ＊ａ＊ｂ＊の組み合わせにより表すことができ、色の変化は、最初の色と最終的な色との間の組み合わせの差異に相当するベクトルにより表すことができる。用語の定義及び式導出は、Ｈｕｎｔｅｒ  Ａｓｓｏｃｉａｔｅｓ  Ｌａｂｏｒａｔｏｒｙ，Ｉｎｃ．から、及び、ｗｗｗ．ｈｕｎｔｅｒｌａｂ．ｃｏｍから入手可能であり、その全体が本明細書に参照により組み込まれる。
【００２４】
本明細書で使用するとき、布地の「再生」又は「回復」という用語は、下記の試験方法を用いて決定されるように、処理された布地が約−０．０１未満のΔＬ値を有するという利益を意味する。広くは、「再生」又は「回復」という用語は、着色又は染色された布地の外観の鮮明又は鮮やかさをより深めるか、又はそのようにさせる。用語は、退色した布地の顕色を修復させ、かつ新規又は退色した布地の顕色を「新規よりも優れたもの」に改善させることを含む。
【００２５】
本明細書で使用するとき「洗浄条件下」という句は、「洗浄条件下の希釈」と題する、本明細書の試験方法に説明する条件を意味する。
【００２６】
本明細書で使用するとき、「単位用量」は、例えば、約０．０５ｇ〜約１００ｇ、若しくは１０ｇ〜約６０ｇ、又は約２０ｇ〜約４０ｇ等の洗濯１回分を処理するために好適な組成物の量を意味する。
【００２７】
特に記載のない限り、成分又は組成物の濃度はすべて、当該成分又は組成物の活性部分に関するものであり、かかる成分又は組成物の市販の供給源に存在し得る不純物、例えば残留溶媒又は副生成物は除外される。
【００２８】
本出願人らの発明のパラメータの各値を求めるためには、本出願で開示する試験方法を用いるべきである。
【００２９】
全ての測定は、特に指定しない限り、２５℃で行われる。
【００３０】
布地に利益、特に色ケアの利益を提供するために有用な組成物、及び特に消費者へのサービスとして、それを提供するための方法を開示する。
【００３１】
理論によって制限されることなく、出願者は、カチオン性ポリマー及びアニオン性界面活性剤の組み合わせによって、利益、特に色ケアの利益を衣類にもたらすことができると考えている。理論によって制限されることなく、出願者は、カチオン性ポリマー及びアニオン性界面活性剤の組み合わせが、処理された布地と相互作用するコアセルベートの形成をもたらし、その後に局所的な毛羽立ちを減少させる処理された繊維に合着する薄い被膜を蒸着すると考えている。順次、これは、布地の表面における光回折を減少させ、より深みがあり、より本来の（即ち、退色しないか、又は損傷していない）色の外観をもたらすと考えられている。出願者は、シリコーン材料の組み込みが、開示する組成物及び方法を使用して、布地にもたらす１つ以上の利益を改善することができることを更に認識している。
【００３２】
組成物
約２〜約１１、又は約２．５〜約９．５のｐＨで約０．０５ｍｅｑ／ｇ〜約２５ｍｅｑ／ｇ、若しくは約０．１〜約１２ｍｅｑ／ｇ、若しくは約０．５〜約７ｍｅｑ／ｇ、又は約０．２〜約３ｍｅｑ／ｇの電荷密度を有する、総重量に基づき、約０．１％〜約１００％、約０．５％〜約８０％、若しくは約１．０％〜約７０％、若しくは約１．５％〜約６０％、若しくは約２％〜約５０％、若しくは約３％〜約４０％、若しくは約４％〜約３０％、又は約５％〜約２０％のカチオン性ポリマーを含む、組成物を開示する。
【００３３】
一態様においては、カチオン性ポリマーは、カチオン性又は両性多糖類、ポリエチレンイミン及びその誘導体、Ｎ，Ｎ−ジアルキルアミノアルキルアクリレート、Ｎ，Ｎ−メタクリル酸ジアルキルアミノアルキル、Ｎ，Ｎ−ジアルキルアミノアルキルアクリルアミド、Ｎ，Ｎ−ジアルキルアミノアルキルメタクリルアミド、四級化されたＮ，Ｎジアルキルアミノアルキルアクリレート、四級化されたＮ，Ｎ−メタクリル酸ジアルキルアミノアルキル、四級化されたＮ，Ｎ−ジアルキルアミノアルキルアクリルアミド、四級化されたＮ，Ｎ−ジアルキルアミノアルキルメタクリルアミド、メタクリロアミドプロピル−ペンタメチル−１，３−プロピレン−２−オル−二塩化アンモニウム、Ｎ，Ｎ，Ｎ，Ｎ’Ｎ’，Ｎ”，Ｎ”−ヘプタメチル−Ｎ”−３−（１−オキソ−２−メチル−２−プロペニル）アミノプロピル−９−オキソ−８−アゾ−デカン−１，４，１０−三塩化トリアンモニウムからなる群から選択される１つ以上のカチオン性モノマーを重合することによって作製された合成ポリマー、ビニルアミン及びその誘導体、アリルアミン及びその誘導体、ビニルイミダゾール、四級化されたビニルイミダゾール及び塩化ジアリルジアルキルアンモニウム、並びにそれらの組み合わせからなる群から選択される。カチオン性ポリマーは、任意に、アクリルアミド、Ｎ，Ｎ−ジアルキルアクリルアミド、メタクリルアミド、Ｎ，Ｎ−ジアルキルメタクリルアミド、Ｃ１〜Ｃ１２アクリル酸アルキル、Ｃ１〜Ｃ１２アクリル酸ヒドロキシアルキル、アクリル酸ポリアルキレングリオール、Ｃ１〜Ｃ１２メタクリル酸アルキル、Ｃ１〜Ｃ１２メタクリル酸ヒドロキシアルキル、メタクリル酸ポリアルキレングリコール、酢酸ビニル、ビニルアルコール、ビニルホルムアミド、ビニルアセトアミド、ビニルアルキルエーテル、ビニルピリジン、ビニルピロリドン、ビニルイミダゾール、ビニルカプロラクタム、及び誘導体、アクリル酸、メタクリル酸、マレイン酸、ビニルスルホン酸、スチレンスルホン酸、アクリルアミドプロピルメタンスルホン酸（ＡＭＰＳ）、並びにそれらの塩からなる群から選択される第２のモノマーを含み得る。ポリマーは、２つ以上のモノマーから作製されるターポリマーであり得る。ポリマーは所望により、分枝及び架橋モノマーを使用することにより、分枝状であってもよく、又は架橋されていてもよい。分枝及び架橋モノマーは、エチレングリコールジアクリレートジビニルベンゼン、及びブタジエンを含む。一態様においては、カチオン性ポリマーは、国際公開第００／５６８４９号及び米国特許第６，６４２，２００号に開示されるもの等の、好適な反応開始剤又は触媒を使用するエチレン系不飽和モノマーの重合によって産生されるものを含み得る。一態様においては、カチオン性ポリマーは、全体のポリマーが周囲条件下で中和になるように電荷中和アニオンを含み得る。好適な対イオンとしては、（使用中に生成されたアニオン種の他に）塩化物、臭化物、硫酸、硫酸メチル、スルホン酸、メチルスルホン酸、炭酸塩、重炭酸塩、ギ酸塩、アセタート、クエン酸塩、硝酸塩、及びそれらの混合物が挙げられる。
【００３４】
一態様においては、カチオン性ポリマーは、ポリ（アクリルアミド−コ−塩化ジアリルジメチルアンモニウム）、ポリ（アクリルアミド−メタクリルアミドプロピルトリメチル塩化アンモニウム）、ポリ（アクリルアミド−コ−Ｎ，Ｎ−アクリル酸ジメチルアミノエチル）及びその四級化された誘導体、ポリ（アクリルアミド−コ−Ｎ，Ｎ−メタクリル酸ジメチルアミノエチル）及びその四級化された誘導体、ポリ（ヒドロキシアクリル酸エチル−コ−メタクリル酸ジメチルアミノエチル）、ポリ（アクリル酸ヒドロキシプロピル−コ−メタクリル酸ジメチルアミノエチル）、ポリ（アクリル酸ヒドロキシプロピル−コ−塩化メタクリルアミドプロピルトリメチルアンモニウム）、ポリ（アクリルアミド−コ−塩化ジアリルジメチルアンモニウム−コ−アクリル酸）、ポリ（アクリルアミド−塩化メタクリルアミドプロピルトリメチルアンモニウム−コ−アクリル酸）、ポリ（塩化ジアリルジメチルアンモニウム）、ポリ（ビニルピロリドン−コ−メタクリル酸ジメチルアミノエチル）、ポリ（メタクリル酸エチル−コ−四級化されたメタクリル酸ジメチルアミノエチル）、ポリ（メタクリル酸エチル−コ−メタクリル酸オレイル−コ−メタクリル酸ジエチルアミノエチル）、ポリ（塩化ジアリルジメチルアンモニウム−コ−アクリル酸）、ポリ（ビニルピロリドン−コ−四級化されたビニルイミダゾール）、及びポリ（アクリルアミド−コ−メタクリロアミドプロピル−ペンタメチル−１，３−プロピレン−２−オル−二塩化アンモニウム）からなる群から選択され得る。これらのカチオン性ポリマーとしては、国際化粧品原料命名で命名される、専門用語のポリクアテルニウム−１、ポリクアテルニウム−５、ポリクアテルニウム−６、ポリクアテルニウム−７、ポリクアテルニウム−８、ポリクアテルニウム−１１、ポリクアテルニウム−１４、ポリクアテルニウム−２２、ポリクアテルニウム−２８、ポリクアテルニウム−３０、ポリクアテルニウム−３２、及びポリクアテルニウム−３３を挙げることができ、かつそれらによって説明され得る。
【００３５】
一態様においては、カチオン性ポリマーは、カチオン性アクリル系ポリマーを含み得る。一態様においては、カチオン性ポリマーは、カチオン性ポリアクリルアミドを含み得る。一態様においては、カチオン性ポリマーは、ポリ（アクリルアミド−Ｎ，Ｎ−アクリル酸ジメチルアミノエチル）及びその四級化された誘導体を含み得る。一態様においては、カチオン性ポリマーは、ＢＴＣ  Ｓｐｅｃｉａｌｔｙ  Ｃｈｅｍｉｃａｌｓ，ＢＡＳＦ  Ｇｒｏｕｐ、Ｆｌｏｒｈａｍ  Ｐａｒｋ，Ｎ．Ｊ．から、Ｓｅｄｉｐｕｒ（登録商標）という商品名で販売されるものであり得る。
【００３６】
一態様においては、カチオン性ポリマーは、ポリ（アクリルアミド−コ−塩化メタクリルアミドプロピルトリメチルアンモニウム）を含み得る。
【００３７】
一態様においては、カチオン性ポリマーは、Ｃｉｂａ  Ｓｐｅｃｉａｌｔｙ  Ｃｈｅｍｉｃａｌｓ，ＢＡＳＦ  ｇｒｏｕｐ、Ｆｌｏｒｈａｍ  Ｐａｒｋ，Ｎ．Ｊ．から、Ｒｈｅｏｖｉｓ（登録商標）ＣＤＥという商品名で販売されるか、又は米国特許出願第２００６／０２５２６６８  Ａ１号に開示されるもの等の非アクリルアミド系ポリマーを含み得る。
【００３８】
一態様においては、カチオン性ポリマーは、ポリエチレンイミン又はポリエチレンイミン誘導体を含み得る。一態様においては、カチオン性ポリマーは、ＢＡＳＦ，ＡＧ，Ｌｕｇｗｉｇｓｃｈａｅｆｅｎ，Ｇｅｒｍａｎｙによって、Ｌｕｐａｓｏｌ（登録商標）という商品名で販売されるもの等のポリエチレンイミン（polyethyleneinine）であり得る。
【００３９】
一態様においては、カチオン性ポリマーは、エピクロロヒドリンとのアミン及びオリゴアミンの反応生成物であるアルキルアミン−エピクロロヒドリンポリマーを含み得る。これらには、米国特許第６，６４２，２００  Ｂ１号及び同第６，５５１，９８６  Ｂ１号に記載されるポリマーが挙げられる。例としては、ジメチルアミン−エピクロロヒドリン−エチレンジアミン、及びＣｌａｒｉａｎｔ，Ｂａｓｌｅ，Ｓｗｉｔｚｅｒｌａｎｄから、Ｃａｒｔａｆｉｘ（登録商標）ＣＢ及びＣａｒｔａｆｉｘ（登録商標）ＴＳＦという商品名で入手可能なものが挙げられる。
【００４０】
一態様においては、カチオン性ポリマーは、ポリカルボン酸とのポリアルキレンポリアミドのポリアミドアミン−エピクロロヒドリン（ＰＡＥ）樹脂を含む、合成カチオン性ポリマーを含み得る。最も一般的なＰＡＥ樹脂は、エピクロロヒドリンと後続反応される、ジエチレントリアミンとアジピン酸の縮合生成物である。それらは、Ｈｅｒｃｕｌｅｓ  Ｉｎｃ．ｏｆ  Ｗｉｌｍｉｎｇｔｏｎ  ＤＥから、Ｋｙｍｅｎｅ（商標）という商品名、又はＢＡＳＦ  ＡＧ（Ｌｕｄｗｉｇｓｈａｆｅｎ，Ｇｅｒｍａｎｙ）から、Ｌｕｒｅｓｉｎ（商標）という商品名で入手可能である。これらのポリマーは、Ｌ．Ｌ．Ｃｈａｎ，ＴＡＰＰＩ  Ｐｒｅｓｓ（１９９４），ｐｐ．１３〜４４によって編集された、Ｗｅｔ  Ｓｔｒｅｎｇｔｈ  ｒｅｓｉｎｓ及びそれらの明細書に説明されている。
【００４１】
一態様においては、カチオン性ポリマーは、カチオン性又は両性多糖類からなる群から選択され得る。一態様においては、カチオン性ポリマーは、カチオン性及び両性セルロースエーテル、カチオン性又は両性ガラクトマンナン、カチオン性グアーゴム、カチオン性又は両性デンプン、及びそれらの組み合わせからなる群から選択されるポリマーを含み得る。
【００４２】
一態様においては、カチオン性ポリマーは、ポリマーが正味正電荷を保有するときに、両性ポリマーを含み得る。一態様においては、両性ポリマーは、約０．０５〜約１８ミリ当量／ｇのカチオン電荷密度を有し得る。
【００４３】
一態様においては、カチオン性ポリマーは、ＲＩ検出を用いたポリエチレンオキシド標準に対して、サイズ排除クロマトグラフィーによって決定されるように、約５００〜約５，０００，０００、又は約１，０００〜約２，０００，０００、又は約２，５００〜約１，５００，０００ダルトンの重量平均分子量を有し得る。一態様においては、カチオン性ポリマーの分子量は、約５００〜約３７，５００ｋＤであり得る。一態様においては、１つ以上のカチオン性ポリマーは、５００ダルトン〜約３７，５００ダルトンの重量平均分子量、及び約０．１ｍｅｑ／ｇ〜約１２の電荷密度を有し得る。
【００４４】
一態様においては、組成物は、組成物の総重量に基づき、約０．１％〜約３０％、約０．５％〜約２０％、約１．０％〜約１０％、又は約１．５％〜約８％の有機シリコーンを含み得る。
【００４５】
好適な有機シリコーンは、Ｓｉ−Ｏ部分を含み得、（ａ）非官能化シロキサンポリマー、（ｂ）官能化シロキサンポリマー、及びそれらの組み合わせから選択され得る。有機シリコーンの分子量は、通常、材料の粘度への言及によって示される。一態様においては、有機シリコーンは、２５℃で約１０〜約２，０００，０００センチストークスの粘度を含み得る。一態様においては、好適な有機シリコーンは、２５℃で約１０〜約８００，０００センチストークスの粘度を含み得る。
【００４６】
好適な有機シリコーンは、線状、分枝状、又は架橋されたものであり得る。一態様においては、有機シリコーンは、線状であり得る。
【００４７】
一態様においては、有機シリコーンは、下記の式Ｉ
［Ｒ１Ｒ２Ｒ３ＳｉＯ１／２］ｎ［Ｒ４Ｒ４ＳｉＯ２／２］ｍ［Ｒ４ＳｉＯ３／２］ｊ  （式Ｉ）
（式中、
ｉ）各Ｒ１、Ｒ２、Ｒ３、及びＲ４は、独立して、Ｈ、−ＯＨ、Ｃ１〜Ｃ２０アルキル、Ｃ１〜Ｃ２０置換アルキル、Ｃ６〜Ｃ２０アリール、Ｃ６〜Ｃ２０置換アリール、アルキルアリール、及び／又はＣ１〜Ｃ２０アルコキシ部分からなる群から選択され得、
ｉｉ）ｎは、ｎ＝ｊ＋２になるように、約２〜約１０若しくは約２〜約６、又は２の整数であり得、
ｉｉｉ）ｍは、約５〜約８，０００、約７〜約８，０００、又は約１５〜約４，０００の整数であり得、
ｉｖ）ｊは、約０〜約１０若しくは約０〜約４、又は０の整数であり得る）を有し、ポリアルキル及び／又はフェニルシリコーン流体、樹脂、及び／又はゴムを含み得る非官能化シロキサンポリマーを含み得る。
【００４８】
一態様においては、Ｒ２、Ｒ３及びＲ４は、メチル、エチル、プロピル、Ｃ４〜Ｃ２０アルキル、及び／又はＣ６〜Ｃ２０アリール部分を含み得る。一態様においては、Ｒ２、Ｒ３、及びＲ４のそれぞれは、メチルであり得る。シリコーン鎖の末端を阻害する各Ｒ１部分は、水素、メチル、メトキシ、エトキシ、ヒドロキシ、プロポキシ、及び／又はアリールオキシからなる群から選択される部分を含み得る。
【００４９】
本明細書で使用するとき、専門用語のＳｉＯ「ｎ」／２は、酸素及びシリコーン原子の比率を表す。例えば、ＳｉＯ１／２は、１つの酸素が２つのＳｉ原子の間で共有されることを意味する。同様に、ＳｉＯ２／２は、２つの酸素原子が２つのＳｉ原子の間で共有されることを意味し、ＳｉＯ３／２は、３つの酸素原子が２つのＳｉ原子の間で共有されることを意味する。
【００５０】
一態様においては、有機シリコーンは、ポリジメチルシロキサン、ジメチコン、ジメチコノール、ジメチコンクロスポリマー、フェニルトリメチコン、アルキルジメチコン、ラウリルジメチコン、ステアリルジメチコン、及びフェニルジメチコンであり得る。例としては、Ｄｏｗ  Ｃｏｒｎｉｎｇ  Ｃｏｒｐｏｒａｔｉｏｎ，Ｍｉｄｌａｎｄ，ＭＩから入手可能な、ＤＣ  ２００  Ｆｌｕｉｄ、ＤＣ  １６６４、ＤＣ  ３４９、ＤＣ  ３４６Ｇという商品名で入手可能なもの、及びＭｏｍｅｎｔｉｖｅ  Ｓｉｌｉｃｏｎｅｓ，Ｗａｔｅｒｆｏｒｄ，ＮＹから入手可能な、ＳＦ１２０２、ＳＦ１２０４、ＳＦ９６、及びＶｉｓｃａｓｉｌ（登録商標）という商品名で入手可能なものが挙げられる。
【００５１】
一態様においては、有機シリコーンは、環式シリコーンを含み得る。環式シリコーンは、式［（ＣＨ３）２ＳｉＯ］ｎ（式中、ｎは、約３〜約７、又は約５〜約６の範囲であり得る整数である）のシクロメチコンを含み得る。
【００５２】
一態様においては、有機シリコーンは、官能化シロキサンポリマーを含み得る。官能化シロキサンポリマーは、アミノ、アミド、アルコキシ、ヒドロキシ、ポリエーテル、カルボキシ、水素化物、メルカプト、リン酸スルフェート、及び／又は四級アンモニウム部分からなる群から選択される、１つ以上の官能部分を含み得る。これらの部分は、二価アルキレンラジカル（即ち、「ペンダント」）を介してシロキサン主鎖に直接付着し得るか、又は主鎖の一部であり得る。好適な官能化シロキサンポリマーとしては、アミノシリコーン、アミドシリコーン、シリコーンポリエーテル、シリコーン−ウレタンポリマー、四級ＡＢｎシリコーン、アミノＡＢｎシリコーン、及びそれらの組み合わせからなる群から選択される材料が挙げられる。
【００５３】
一態様においては、官能化シロキサンポリマーは、「ジメチコンコポリオール」としても称される、シリコーンポリエーテルを含み得る。広くは、シリコーンポリエーテルは、１つ以上のポリオキシアルキレン鎖を有するポリジメチルシロキサン主鎖を含む。ポリオキシアルキレン部分は、ペンダント鎖又はターミナルブロックとしてポリマーに組み込まれ得る。かかるシリコーンは、米国特許出願第２００５／００９８７５９  Ａ１号、並びに米国特許第４，８１８，４２１号及び同第３，２９９，１１２号に説明されている。例示的な市販のシリコーンポリエーテルとしては、ＤＣ  １９０、ＤＣ  １９３、ＦＦ４００が挙げられ、それらのすべては、Ｄｏｗ  Ｃｏｒｎｉｎｇ  Ｃｏｒｐｏｒａｔｉｏｎから入手可能であり、様々なＳｉｌｗｅｔ（登録商標）界面活性剤は、Ｍｏｍｅｎｔｉｖｅ  Ｓｉｌｉｃｏｎｅｓから入手可能である。
【００５４】
一態様においては、官能化シロキサンポリマーは、アミノシリコーンを含み得る。好適なアミノシリコーンは、米国特許第７，３３５，６３０  Ｂ２号、同第４，９１１，８５２号、及び米国特許出願第２００５／０１７０９９４  Ａ１号に説明されている。一態様においては、アミノシリコーンは、Ｘ２２明細書に説明され、引用されるものであり得る。一態様においては、アミノシリコーンは、式ＩＩ：
［Ｒ１Ｒ２Ｒ３ＳｉＯ１／２］ｎ［（Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ    （式ＩＩ）の構造を含み得、
式中、
ｉ．Ｒ１、Ｒ２、Ｒ３、及びＲ４は、それぞれ独立して、Ｈ、ＯＨ、Ｃ１〜Ｃ２０アルキル、Ｃ１〜Ｃ２０置換アルキル、Ｃ６〜Ｃ２０アリール、Ｃ６〜Ｃ２０置換アリール、アルキルアリール、及び／又はＣ１〜Ｃ２０アルコキシから選択され得、
ｉｉ．各Ｘは、独立して、２〜１２炭素原子、−（ＣＨ２）ｓ−（ｓは、約２〜約１０の整数である）、−ＣＨ２−ＣＨ（ＯＨ）−ＣＨ２−、及び／又は
【化１】
0005675613.tif 000002
を含む、二価アルキレンラジカルから選択され得、
ｉｉｉ．各Ｚは、独立して、−Ｎ（Ｒ５）２、−Ｎ（Ｒ５）３Ａ−、
【化２】
0005675613.tif 000003
から選択され得、各Ｒ５は、独立して、Ｈ、Ｃ１〜Ｃ２０アルキル、Ｃ１〜Ｃ２０置換アルキル、Ｃ６〜Ｃ２０アリール、Ｃ６〜Ｃ２０及び／又は置換アリールから選択され得、各Ｒ６は、独立して、Ｈ、ＯＨ、Ｃ１〜Ｃ２０アルキル、Ｃ１〜Ｃ２０置換アルキル、Ｃ６〜Ｃ２０アリール、Ｃ６〜Ｃ２０置換アリール、アルキルアリール、及び／又はＣ１〜Ｃ２０アルコキシから選択され得、Ａ−は、適合性アニオンであり得る。一態様において、Ａ−は、ハロゲン化物であり得、
ｉｖ．ｋは、約３〜約２０、若しくは約５〜約１８、又は約５〜１０の整数であり得、
ｖ．ｍは、約１００〜約２，０００、又は約１５０〜約１，０００の整数であり得、
ｖｉ．ｎは、ｎ＝ｊ＋２になるように、約２〜約１０若しくは約２〜約６、又は２の整数であり得、
ｖｉｉ．ｊは、約０〜約１０若しくは約０〜約４、又は０の整数であり得、
一態様においては、Ｒ１は、−ＯＨを含み得る。この態様においては、有機シリコーンは、アモジメチコンであり得る。
【００５５】
例示的な市販のアミノシリコーンとしては、Ｄｏｗ  Ｃｏｒｎｉｎｇ  Ｃｏｒｐｏｒａｔｉｏｎから入手可能なＤＣ  ８８２２、２−８１７７、及びＤＣ−９４９、並びにＳｈｉｎ−Ｅｔｓｕ  Ｓｉｌｉｃｏｎｅｓ，Ａｋｒｏｎ，ＯＨから入手可能なＫＦ−８７３が挙げられる。
【００５６】
一態様においては、有機シリコーンは、アミンＡＢｎシリコーン及び第四級ＡＢｎシリコーンを含み得る。かかる有機シリコーンは、一般的に、ジアミンをエポキシドと反応させることによって産生される。これらは、例えば、米国特許第６，９０３，０６１  Ｂ２号、同第５，９８１，６８１号、同第５，８０７，９５６号、同第６，９０３，０６１  Ｂ２号、及び同第７，２７３，８３７  Ｂ２号に説明されている。これらは、Ｍａｇｎａｓｏｆｔ（登録商標）Ｐｒｉｍｅ、Ｍａｇｎａｓｏｆｔ（登録商標）ＪＳＳ、Ｓｉｌｓｏｆｔ（登録商標）Ａ−８５８（すべてＭｏｍｅｎｔｉｖｅ  Ｓｉｌｉｃｏｎｅｓより）の商品名で市販されている。
【００５７】
一態様においては、官能化シロキサンポリマーは、米国特許出願第６１／１７０，１５０号に説明されているもの等のシリコーン−ウレタンを含み得る。これらは、Ｗａｃｋｅｒ  Ｓｉｌｉｃｏｎｅｓから、ＳＬＭ−２１２００の商品名で市販されている。
【００５８】
有機シリコーンのサンプルが分析されるとき、かかるサンプルは、平均、上記の式Ｉ及びＩＩの非整数の指数を有し得るが、かかる平均指数値は、上記の式Ｉ及びＩＩの指数の範囲内であることを当業者は理解する。
【００５９】
一態様においては、組成物は、カチオン性界面活性剤を含み得る。好適なカチオン性界面活性剤としては、例えば、米国特許第４，２５９，２１７号に記載されるもの等の当該技術分野において周知の任意のカチオン性界面活性剤を挙げることができる。
【００６０】
一態様においては、組成物は、１つ以上の添加剤成分を含み得る。以下に図示する本組成物に使用するために好適であり、かつ特定の態様において組み込まれ得ることが望ましい添加剤の非制限的なリストを下記に記載する。前述の添加剤成分の他に、他の添加剤の好適な例及び使用レベルは、米国特許第５，５７６，２８２号、同第６，３０６，８１２  Ｂ１号、及び同第６，３２６，３４８  Ｂ１号で確認することができる。
【００６１】
脂肪酸−組成物は、組成物の総重量に基づき、約８〜約２０個の炭素原子を含有する、約０．０１％〜約１０％、若しくは約２％〜約７％、又は約３％〜約５％の脂肪酸を含み得る。脂肪酸は、約１〜約１０個のエチレンオキシド単位を炭化水素鎖中に含有することもできる。好適な脂肪酸は、飽和及び／又は不飽和であり、植物又は動物性エステル（例えば、パーム核油、パーム油、ココヤシ油、ババス油、ベニバナ油、トール油、ヒマシ油、タロー及び魚油、グリース、並びにそれらの混合物）のような天然資源から得ることができ、又は合成的に（例えば、石油の酸化によって又はフィッシャートロプシュ（Fisher Tropsch）法による一酸化炭素の水素添加によって）調製される。組成物に使用するための好適な飽和脂肪酸の例としては、カプリン（captic）酸、ラウリン酸、ミリスチン酸、パルミチン酸、ステアリン酸、アラキジン酸及びベヘン酸が挙げられる。好適な不飽和脂肪酸種としては、パルミトレイン酸、オレイン酸、リノール酸、リノレン酸及びリシノール酸が挙げられる。脂肪酸の例は、飽和Ｃ１２脂肪酸、飽和Ｃ１２〜Ｃ１４脂肪酸、及び飽和又は不飽和Ｃ１２〜Ｃ１８脂肪酸、及びそれらの混合物である。
【００６２】
光沢剤−「光沢剤」（「光学的光沢剤」とも呼ばれる）は、本明細書では最も広い意味で使用され、紫外線を吸収して「青い」可視光線として再発光する化合物などの、蛍光を呈するあらゆる化合物を含む。いくつかの態様において、光沢剤はまた、色が薄い又は無色であり、スペクトルの可視部分に実質的に吸収がない。いくつかの態様において、光沢剤はまた耐光性であり、すなわち太陽光下でも実質的に劣化しない。
【００６３】
キレート化剤−組成物は、１つ以上の銅、鉄及び／又はマンガンキレート化剤を含み得る。使用される場合、キレート化剤は、一般的に、組成物の総重量に基づき、約０．１％〜約１５％、又は約３．０％〜約１５％の量にさえ存在する。
【００６４】
移染防止剤−組成物は、１つ以上の移染防止剤を含み得る好適なポリマー移染防止剤としては、ポリビニルピロリドンポリマー、ポリアミンＮ−オキシドポリマー、Ｎ−ビニルピロリドンとＮ−ビニルイミダゾールとのコポリマー、ポリビニルオキサゾリドン及びポリビニルイミダゾール、又はそれらの混合物が挙げられる。
【００６５】
酵素−酵素は、タンパク質系、炭水化物系、若しくはトリグリセリド系のシミの除去、及び／又は布地の回復を含む、種々多様な布地洗濯の目的のために本組成物中に含むことができる。好適な酵素の例には、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ及び既知のアミラーゼ、並びにそれらの組み合わせが挙げられる。洗浄性酵素は、米国特許第６，５７９，８３９号により詳細に記載されている。いくつかの態様においては、本明細書の組成物は、組成物の総重量に基づき、約０．０５％〜約２％の洗浄性酵素を含む。
【００６６】
酵素安定剤−酵素又は酵素類が組成物中に含まれる場合、組成物は、酵素安定剤を含有し得る。酵素は、カルシウム及び／又はマグネシウム化合物、ホウ素化合物類及び置換ホウ酸、芳香族ホウ酸エステル、ペプチド及びペプチド誘導体、ポリオール、低分子量カルボキシレート、比較的疎水性の有機化合物［例えば、特定のエステル、ジアルキル（diakyl）グリコールエーテル、アルコール又はアルコールアルコキシレート］、カルシウムイオン源に添加したアルキルエーテルカルボキシレート、ベンズアミジン次亜塩素酸塩、低級脂肪族アルコール及びカルボン酸、Ｎ，Ｎ−ビス（カルボキシメチル）セリン塩、（メタ）アクリル酸−（メタ）アクリル酸エステルコポリマー及びＰＥＧ、リグニン化合物、ポリアミドオリゴマー、グリコール酸又はその塩、ポリヘキサメチレンビグアニド又はＮ，Ｎ−ビス−３−アミノ−プロピル−ドデシルアミン若しくは塩、並びにそれらの組み合わせのようなあらゆる既知の安定剤系を使用して安定化できる。
【００６７】
パールエッセンス剤−いくつかの態様においては、組成物は、パールエッセンス剤を含み得る。
【００６８】
一態様においては、組成物は、洗浄条件下で、０．００５μｍ〜約１０００μｍ、若しくは約０．０１μｍ〜約５００μｍ、又は約０．１μｍ〜約１００μｍの粒径を有する粒子を形成する。
【００６９】
一態様においては、組成物は、洗浄条件下で、本明細書の試験方法を使用して測定されるように、０．１〜１００ｒａｄ／ｓの周波数範囲で約１０〜約１，０００，０００Ｐａ、若しくは、約１００〜約２００，０００Ｐａ、又は約５００〜約１００，０００Ｐａの粘弾性係数を有するコアセルベートを形成する。
【００７０】
一態様においては、組成物は、添加剤の形態であり得る。一態様においては、組成物は、組成物が約２〜約１２．５、又は約３〜約７のｐＨを有する、洗浄を介した添加剤であり得る。
【００７１】
一態様においては、組成物及び水混和性パウチを含む単位用量システムを開示し、組成物は、組成物の総重量に基づき、約０．０１〜約１５％の水を含み得る。
【００７２】
使用方法
一態様においては、布地に利益をもたらすための方法を開示し、前記方法は、
ａ．任意に、布地を洗浄する工程と、
ｂ．上述の組成物をアニオン性界面活性剤源と接触させて、布地とともに、約１００：１〜約０．０１：１、若しくは約１０：１〜約０．０５：１、若しくは約７：１〜約０．１：１、又は約２：１〜約０．１：１のＡＣＤ：ＣＣＤ比率を有する混合物を形成する工程と、
ｃ．混合物を前記布地と接触させて処理された布地を形成する工程と、
ｄ．任意に、前記処理された布地をすすぐ工程と、を含む。
【００７３】
一態様においては、その方法は、処理された布地に１つ以上の仕上げ処理を適用する工程を含み得る。仕上げ処理は、乾燥、プレス、糊付け、香り付け、及びそれらの組み合わせからなる群から選択され得る。
【００７４】
一態様においては、その方法の接触させる工程は、約５０℃〜約７５℃、又は約６０℃〜約７０℃の温度で実施され得る。一態様においては、その接触させる工程は、水性環境で実施され得る。
【００７５】
一態様においては、工程（ｂ）及び（ｃ）は、工程（ｄ）の前に少なくとも２回実施し得る。
【００７６】
一態様においては、利益は、色維持及び／又は再生、洗浄、磨耗耐性、しわ除去、毛玉防止、縮み防止、静電気防止、しわ防止、布地の柔軟性、布地の形状保持、石鹸の泡の抑制、洗浄又はすすぎ中の残留物の減少、手触り又は質感の向上、及びそれらの組み合わせからなる群から選択される利益を含み得る。
【００７７】
一態様においては、利益は、布地への色維持及び／又は再生の利益を含み得る。この態様においては、本明細書の試験方法に従って乾燥されたときに測定されるように、処理された布地は、約−０．０１〜約−１５、又は約−０．１〜約−３．０のΔＬ値を有し得る。いくつかの態様においては、その方法は、約−０．０１〜約−１５、又は約−０．１〜約−３．０のΔＬ値が達成されるまで実施され得る。
【００７８】
一態様においては、アニオン性界面活性剤源は、アニオン性界面活性剤源の総重量に基づき、約２％〜約５０％、若しくは約５％〜約２５％、又は約１２％〜約２０％のアニオン性界面活性剤を含み得る。当業者は、アニオン性界面活性剤源が異なり得ることを理解するであろう。好適なアニオン性界面活性剤は、当該技術分野において周知であり、米国特許出願第１２／０７５３３３号に記載されているものを含む。
【００７９】
一態様においては、アニオン性界面活性剤源は、従来の洗剤を含み得る。この態様においては、アニオン性界面活性剤源は、市販のＴｉｄｅ  Ｆｒｅｅ（登録商標）ＨＥであり得る。この態様においては、約１０グラム〜約１００グラム、又は約５０グラム〜約８０グラムの洗剤が使用され得る。一態様においては、従来の洗剤は、セルラーゼ等の酵素を含み得る。従来の洗剤は、典型的に、蒸留水中の１％の溶液として測定される、７．０〜約１２．５、若しくは約７．５〜約１１．８、又は約８．０〜約１１．５のｐＨを有する。
【００８０】
一態様においては、アニオン性界面活性剤源は、約４〜約１４、若しくは約８〜約１０、又は９の親水親油バランス（ＨＬＢ）を含む、アニオン性界面活性剤を含み得る。
【００８１】
一態様においては、アニオン性界面活性剤源は、アニオン性界面活性剤源の総重量に基づき、約１．０％〜５０％、又は約７％〜約４０％のアルキルエトキシスルホネート（ＡＥＳ）を含み得る。
【００８２】
一態様においては、アニオン性界面活性剤源は、アニオン性界面活性剤源の総重量に基づき、約５％未満、若しくは約１０％未満、又は約５０％未満の線状アルキルベンゼンスルホネート（ＨＬＡＳ）を含み得る。一態様においては、アニオン性界面活性剤源は、約１０％未満、又は約１％未満の非イオン性界面活性剤を含み得る。一態様においては、組成物は、非イオン性界面活性剤を本質的に含み得ない。
【００８３】
一態様においては、アニオン性界面活性剤源は、布地そのものであり得る。この態様においては、アニオン含有洗剤を用いて既に洗浄された布地上の残留アニオン性界面活性剤は、アニオン性界面活性剤源を提供し得る。
【００８４】
一態様においては、組成物によって提供される、混合物内のカチオン性ポリマーのｐｐｍは、約１〜約５，０００、若しくは約１００〜約２０００、又は約５００〜約１０００であり得る。
【００８５】
一態様においては、アニオン性界面活性剤源に対して、工程（ｂ）の組成物は、約０．７９：１のカチオン性電荷比を有し得る。これは、アニオン性界面活性剤源が従来の洗剤であるときに特に当てはまる。
【００８６】
一態様においては、前記組成物及び前記アニオン性界面活性剤源は、希釈時に粒子を形成し得る。この態様においては、アニオン性界面活性剤及びカチオン性ポリマーは、「一次粒子」及び／又は「コロイド粒子」を含み得る、二次構造（粒子）を形成し得る。例えば、アニオン性界面活性剤の存在下で、１部の組成物を１０部の洗浄液体中に希釈するときに、コロイド構造は、長軸上で約１０００μｍ未満、若しくは長軸上で約５００μｍ未満、又は長軸上で約２００μｍ未満の前記コロイド構造を形成し得る。一態様においては、粒子は、短軸上で約５μｍ以上、若しくは、短軸上で約１０μｍ以上、又は短軸上で約２５μｍ以上であり得る。
【００８７】
一態様においては、組成物及び前記アニオン性界面活性剤源は、水中で約１：３８００の比率で希釈されたときに、約０．００５μｍ〜約１０００μｍ、又は約０．０１μｍ〜約１００μｍの寸法を有する一次粒子及び／又はコロイド粒子を形成する。
【００８８】
一態様においては、組成物及びアニオン性界面活性剤源は、処理容器内で混合され得る。処理容器は、組成物及び／又はアニオン性界面活性剤源を希釈するのに十分な任意の好適なリザーバであり得、上蓋洗濯機、前蓋洗濯機、及び／又は商業用洗濯機を含み得る。一態様においては、処理容器は、カチオン性ポリマーを添加する前に、水又は他の溶媒で充填され得る。一態様においては、カチオン性ポリマー及びアニオン性界面活性剤源は、水の存在下で混合され得る。一態様においては、溶媒は、約１６℃（６０°Ｆ）〜約３８℃（１００°Ｆ）の温度の水であり得る。接触させる工程は、布地を混合物中に浸漬する工程及び／又は飽和させる工程を含み得、攪拌下で実施され得る。任意のすすぎ工程が実施される場合、かかる工程は、一般的に、約１６℃（６０°Ｆ）〜約３８℃（１００°Ｆ）の温度の任意の好適な溶媒、例えば、水を使用して実施し得る。
【００８９】
一態様においては、その方法は、消費者へのサービスとして実施され得る。この態様においては、その方法は、消費者の要望に応じて商業施設で実施され得る。
【００９０】
一態様においては、その方法は、消費者によって自宅で実施され得る。
【００９１】
一態様においては、多区画システムを含む布地に利益をもたらす方法を開示し、そこでは、多区画システムが使用され得る。この態様においては、第１の区画は、上述の組成物を含み得、第２の区画は、アニオン性界面活性剤源を含み得る。次いで、多区画システムは、処理工程中に含有物を機械的に放出するシステムを介するか、又はあるいは、消費者の制御下のシステムを介して、自動的に洗浄システムに分配され得る。
【００９２】
一態様においては、組成物及び／又はアニオン性界面活性剤源は、組成物及び／又はアニオン性界面活性剤源が水混和性パウチに封入され得る、単位用量システムに提供され得る。一態様においては、組成物及び／又はアニオン性界面活性剤源は、アニオン性界面活性剤源の総重量に基づき、約０％〜約１５％、若しくは約１％〜約１０％、又は約５％〜約８％の水を含み得る。一態様においては、単位用量システムは、少なくとも２つの区画を有するパウチを含み得、第１の区画は、アニオン性界面活性剤源を含み得、第２の区画は、カチオン性ポリマーを含む組成物を含み得る。
【００９３】
試験方法
ΔＬの測定−布地に付与される色及び外観の利益は、例えば、分光測光法を介して（例えば、本明細書に説明するＨｕｎｔｅｒ分光測光法を介して）測定されるように、ΔＬ値として画定される布地処理の前後の繊維の屈折率に関して説明することができる。−ΔＬ値によって表されるＬ値の減少は、色の改善（又は、黒化）を示し、それは、色の利益を表す。この態様においては、布地のＬ＊値（上述）は、以下の時間（Ｌ（損傷）値を得るための布地損傷プロトコルの適用後、及びＬ（処理された）値を得るための布地処理プロトコルの適用後）で決定される。ΔＬ値は、Ｌ（損傷）−Ｌ（処理された）値と同等である。
【００９４】
色／外観（主観）−一体様においては、衣類の色の改善は、消費者の主観的な意見によって測定される。例えば、消費者は、１〜４のスケールで色再生を評価することにより、本明細書に説明する方法を使用する処理の有効性についての彼らの意見を尋ねられ得、ここで、１は観察可能な変化がない、２は観察可能な変化を示すが色が許容不可能である、３は観察可能な変化を示し、色が許容可能である、並びに、４は色に観察可能な変化を示し、衣類が元々の色に又はその色の近くに再生される。
【００９５】
Ｆａｂｒｉｃ  Ｄａｍａｇｉｎｇ  Ｐｒｏｔｏｃｏｌ−Ｎｅｗ  ｂｌａｃｋ  ＧｉｌｄａｎのＴシャツ（「衣類」）（１７２．９ｇ（６．１ｏｚ）１００％防縮加工済の綿、ダブルニードル縫製、シームレス襟、テープ付き首及び肩、４分の１回転式本体、工場番号：２０００、工場：Ｇｉｌｄａｎ、スタイル番号：０２８１  ＧＬ、色：黒、サイズ：大又は特大、ＴＳＣ  Ａｐｐａｒｅｌ，Ｃｉｎｃｉｎｎａｔｉ，Ｏｈｉｏから入手可能）又は好適な同等物を使用する。
【００９６】
４９．６±０．０１グラムの市販の２Ｘ  Ｕｌｔｒａ  Ｔｉｄｅ（登録商標）洗剤を１サイクル毎に使用する。洗濯機内の衣類の総量は、２．５ｋｇ（５．５ポンド）（又は１１枚のＧｉｌｄａｎのＴシャツ）である。衣類を合計１０回洗浄し、各サイクルの間に完全乾燥（約１４％の残留水分）を行う。洗浄条件は以下の通りである：水：１リットル当たり２．１グラム（８．１ｇｐｇ）の平均硬度、及び１ｐｐｍの平均塩素を有する水道水。洗濯機：Ｋｅｎｍｏｒｅ  ８０シリーズ、Ｈｅａｖｙ  Ｄｕｔｙ、Ｓｕｐｅｒ  Ｃａｐａｃｉｔｙ  Ｐｌｕｓ、Ｑｕｉｅｔ  Ｐａｋ、４段階スピードの組み合わせを有する３段階スピードモータ、Ｕｌｔｒａ  Ｒｉｎｓｅ  Ｓｙｓｔｅｍ、モデル番号１１０．６４８３２４００。サイクル：約１６℃（６０°Ｆ）の温度を有する６４．３５リットル（１７ガロン）の水を使用する、１２分間の「Ｈｅａｖｙ  Ｄｕｔｙ  Ｆａｓｔ／Ｆａｓｔ」サイクル。約１６℃（６０°Ｆ）の温度を有する水を使用して２分間のすすぎを１回実施する。次いで、衣類をＫｅｎｍｏｒｅ  ｅｌｅｃｔｒｉｃ  ８０シリーズ、Ｈｅａｖｙ  Ｄｕｔｙ、Ｓｕｐｅｒ  Ｃａｐａｃｉｔｙ  Ｐｌｕｓ、Ｑｕｉｅｔ  Ｐａｋ、モデル番号１１０．６４８３２４００を使用して乾燥する。衣類を約６０分間８６℃（１８６°Ｆ）の温度で乾燥させる（「Ｃｏｔｔｏｎ  Ｈｉｇｈ」サイクル）。乾燥工程後、衣類は、一般的に、著しい水分を有さない（約１４％の残留含水量）。特に指示がない限り、洗浄及び乾燥サイクルを合計１０回繰り返す。黒のＧｉｌｄａｎ社のＴシャツの典型的なＬ（損傷）値は、約１２〜約１４である。
【００９７】
布地処理プロトコル−８０グラムの試験組成物（例えば、実施例Ｉの組成物）及び８０ｇの塩基洗剤組成物を、６４．３５リットル（１７ガロン）の１６℃（６０°Ｆ）の水道水（１リットル当たり約２．１グラム（８ｇｐｇ））を含む、上蓋洗濯機に加える。試験衣類を希釈した溶液中で１２分間洗浄する。次いで、衣類を６４．３５リットル（１７ガロン）の１６℃（６０°Ｆ）の水道水（１リットル当たり約２．１グラム（８ｇｐｇ））を使用して２分間すすぐ。次いで、著しい水分がなくなるまで、即ち、布地が約１４％の残留水分含有量を有するまで衣類を乾燥させる。
【００９８】
洗浄条件下の希釈−粒径及び／又はレオロジーの特徴化のための洗浄条件下でのサンプルの調製は以下の通りである：５０．５グラムのＴｉｄｅ  ２Ｘ、Ｐｒｏｃｔｅｒ  ａｎｄ  Ｇａｍｂｌｅ  Ｃｏｍｐａｎｙ（２０．０６％のＡＥＳ、２．６７％のＨＬＡＳ、及び０．８０％の非イオン性界面活性剤含有）から入手可能、８０グラムのサンプル組成物をＫｅｎｍｏｒｅ  ８０シリーズ、Ｈｅａｖｙ  Ｄｕｔｙ、Ｓｕｐｅｒ  Ｃａｐａｃｉｔｙ  Ｐｌｕｓ、Ｑｕｉｅｔ  Ｐａｋ、４段階スピードモータの組み合わせを有する３段階スピードモータ、Ｕｌｔｒａ  Ｒｉｎｓｅ  Ｓｙｓｔｅｍ、モデル番号１１０．２５８４２４００の上蓋洗濯機に加える。「Ｈｅａｖｙ  Ｄｕｔｙ  Ｆａｓｔ／Ｆａｓｔ」サイクル（約１６℃（６０°Ｆ）の温度で６４．３５リットル（１７ガロン）の水を有する）を使用して混合物を機械内で攪拌させ、１２分後に停止する。水質は、１リットル当たり１．６グラム（６ｇｐｇ）である。本明細書に説明する粒径又はレオロジーの特徴化のために、サイクルを停止した直後に溶液のサンプルを抽出する。
【００９９】
レオロジー、接着マッピング−材料周波数依存性は、線形粘弾性条件下で実施される周波数掃引から得られる。構造相（粒子を含む）は、実質的に透明な上清によって示されるように、粒子を単離するのに十分な速度及び時間での遠心分離によって洗浄溶液から分離される。遠心分離の結果、合体した粒子を含む粘稠なジェル状の層が下相として形成され、かつ分離される。低粘度の上清が存在する。上清は、更なる試験のためにデカントし、ジェル状の層を単離する。線形粘弾性領域は、以下の通り特定される：平行のプレート形状（１２ｍｍ又は２５ｍｍ、当業者には容易に理解されるように、ゲル相の弾性率に基づき選択）を具備する応力制御レオメーターを使用して、Ｇ’（弾性率）及びＧ”粘性率）が応力関数として測定される、動的応力掃引を固定した周波数の１ｒａｄ／ｓで実施する。線形粘弾性領域は、Ｇ’及びＧ”が一定である、応力範囲、即ち、独立応力として画定される。次いで、Ｇ’及びＧ”が、０．１と１００ｒａｄ／ｓとの間の周波数関数として測定される動的応力掃引を、この線形粘弾性レジーム内の応力で実施する。次いで、粘弾性「ウインドウ」を、ｙ軸上のＧ’及びｘ軸上のＧ”をプロットすることによって形成し、ウインドウの右上隅は、高周波点、即ちＧ”（１００ｒａｄ／ｓ）に対応し、左下隅は、低周波点、即ち、Ｇ”（０．１ｒａｄ／ｓ）、Ｇ’（０．１ｒａｄ／ｓ）に対応する。
【実施例】
【０１００】
【表１】
0005675613.tif 000004
【０１０１】
実施例ＩＶ：商業的環境において利益をもたらす
消費者は、処理を望む着色衣類／布地を提供する。布地は、任意に、従来の洗剤又は他のライトクリーニングを使用して、事前に調整（例えば、濡れにより）又は事前に洗濯し得る。布地を２７．２ｋｇ（６０ポンド）の容量を有する、商業用の前蓋機械、Ｕｎｉｍａｃモデル番号ＵＷ６０ＰＶに入れる。約１０〜約２２．７ｋｇ（５０ポンド）の消費者が提供した布地を前蓋機械に入れる。約１６℃（６０°Ｆ）の温度の、およそ５６．７８Ｌ（１５ガロン）の水を加える。
【０１０２】
水を加えた後、８０グラムの市販のＴｉｄｅ  Ｆｒｅｅ（登録商標）ＨＥ  ２ｘ（およそ１５％のＡＥＳ）を水及び布地混合物に加える。次いで、２４０グラムの実施例Ｉの組成物を個別に加える。あるいは、組成物を機械に取り付けられたポンプ機構を介して加えることができる。次いで、衣服を約１２分間洗浄し、１回以上の通常のすすぎサイクルを使用して、それぞれ約１６℃（６０°Ｆ）でおよそ２分間すすぐ。すすぎサイクルの容量は、洗浄サイクルの容量と同様である。次いで、布地は、消費者によって選択された１つ以上の仕上げ処理を受け、それらは、蒸気プレス、乾燥、香り付けの適用、糊付け及び／又は更なる布地仕上げ処理を含む。次いで、衣類を消費者に返却する。
【０１０３】
実施例Ｖ：商業的環境において利益をもたらす
消費者は、処理を望む着色衣類／布地を提供する。布地を約６４．３５リットル（１７ガロン）の容量を有する上蓋機械（Ｋｅｎｍｏｒｅ  ８００シリーズ）に入れる。約４〜２．７ｋｇ（６ポンド）の布地を機械に加える。約１６℃（６０°Ｆ）の温度を有する６４．３５リットル（１７ガロン）の水を加える。
【０１０４】
水を加えた後、６６．７グラムの市販のＴｉｄｅ  ｗｉｔｈ  ａ  Ｔｏｕｃｈ  ｏｆ  Ｄｏｗｎｙ  ２Ｘ（およそ３０％のＡＥＳ）を加える。８０グラムの実施例Ｉの組成物を加える。衣服を約１２分間洗浄し、次いで、約１６℃（６０°Ｆ）〜約３８℃（１００°Ｆ）の温度を有する６４．３５リットル（１７ガロン）の水を含む、すすぎ工程を受ける。次いで、布地は、１つ以上の仕上げ処理を受け、それらは、蒸気プレス、乾燥、香リ付けの適用、糊付け及び／又は更なる布地仕上げ処理を含む。次いで、衣類を消費者に返却する。
【０１０５】
本明細書全体にわたって記載されるあらゆる最大数値限定は、それより小さいあらゆる数値限定を、そのような小さい数値限定が本明細書に明示的に記載されたものとして包含すると理解されるべきである。本明細書全体を通じて記載される最小数値限定は、それより大きいあらゆる数値限定を、そのような大きい数値限定が本明細書に明確に記載されているかのように含む。本明細書全体を通じて記載される数値範囲は、そのようなより広い数値範囲内に入るそれよりも狭いあらゆる数値範囲を、そのようなより狭い数値範囲が全て本明細書に明確に記載されているかのように含む。
【０１０６】
本明細書に開示される寸法及び値は、列挙された正確な数値に厳しく制限されるものとして理解されるべきでない。それよりむしろ、特に指定されない限り、こうした各寸法は、列挙された値とその値周辺の機能的に同等の範囲の両方を意味することを意図する。例えば、「４０ｍｍ」として開示される寸法は、「約４０ｍｍ」を意味するものとする。
【０１０７】
本明細書で引用される、相互参照付きの、又は関連する、特許及び出願を含むいずれの文献も、明白に排除されない限り、また別の方法で制限されない限り、本明細書にその全体が参照によって組み入れられる。いずれの文献の引用もこうした文献が本明細書中で開示又は権利請求される任意の発明に対する先行技術であることを容認するものではなく、また、こうした文献が、単独で、あるいは他のあらゆる参照文献との組み合わせにおいて、こうした発明のいずれかを参照、教示、示唆又は開示していることを容認するものでもない。更に、本文書における用語のいずれかの意味又は定義が、援用文献における同一の用語のいずれかの意味又は定義と相反する限りにおいては、本文書においてその用語に与えられた意味又は定義を優先するものとする。
【０１０８】
本発明の特定の実施形態について説明し記載したが、本発明の趣旨及び範囲から逸脱することなく他の様々な変更及び修正が可能であることが当業者には自明である。したがって、本発明の範囲内にあるそのようなすべての変更及び修正を、添付の特許請求の範囲で扱うものとする。